(57)【特許請求の範囲】
【請求項１】
画像を撮影する撮像手段と、
この撮像手段で得た画像に所定の処理を施す画像処理手段と、
この画像処理手段で処理し終えた画像を媒体に記録する記録手段と、
上記撮像手段で得た画像から作成した表示画像を、上記記録手段による媒体への画像記録時に所定時間表示する表示手段と、
上記記録手段への画像記録の中止を指示する指示手段と、
上記表示手段で表示画像を表示している間に上記指示手段による指示がなされた場合に、上記媒体への記録を中止し記録を消去する記録制御手段と、を具備し、
上記画像処理手段は、上記撮像手段により所定の画像が得られると、当該画像に対して上記所定の処理を開始し、
上記記録手段は、上記画像処理手段が上記所定の処理をし終えると、当該処理された画像の媒体への記録を開始することを特徴とする撮像装置。
【請求項２】
上記表示手段がオン設定されているか否かを判定する判定手段と、
上記判定手段により上記表示手段がオン設定されていないと判断された場合、上記指示手段の指示を無効とすることを特徴とする請求項１記載の撮像装置。
【請求項３】
上記表示手段は、上記表示画像と共に、上記指示手段の操作ガイドメッセージを表示することを特徴とする請求項１記載の撮像装置。
【発明の詳細な説明】
【０００１】
【発明の属する技術分野】
本発明は、撮像素子により得た画像をデータ化して媒体に記録する撮像装置に関する。
【０００２】
【従来の技術】
近時、ＣＣＤ等の撮像素子で得た画像をデジタルデータ化し、所定の圧縮処理を施した上で、フラッシュメモリなどの着脱可能な記録媒体に記録するようにした電子スチルカメラが広く一般に普及している。この種の電子スチルカメラの多くにあっては、動作モードが、画像を撮影し記録するための記録モードと、記録した画像をカメラに備えられる、撮影時には電子ビューファインダとしても使用されるカラー液晶パネルで表示再生するための再生モードとに別れており、その時点で必要な動作モードに切換設定した上で所望の動作に移行するようになっていた。
【０００３】
しかるに、一旦記録媒体に記録した画像を選択して消去させる消去動作は、上記再生モード時に任意の画像を記録媒体から選択的に読出して再生出力させ、その内容を確認した上で予め定められた消去のための操作を実行することで行なわれていた。
【０００４】
【発明が解決しようとする課題】
上述した如く、画像の消去は基本的に再生モードで行なうものであり、記録も同時に行なうことはできなかった。したがって、記録モードでの撮影途中で手振れ等を生じて明らかに失敗とわかる撮影を行ない、且つ記録媒体の空き容量が少ないために、対応する画像を直ちに記録媒体から消去するためには、一旦動作モードを再生モードに切換えた上で、該当する画像を表示により選択し、消去設定してから再び記録モードに復帰させるという煩雑な操作が必要となる。
【０００５】
本発明は上記のような実情に鑑みてなされたもので、その目的とするところは、画像の撮影時に、撮影を失敗した画像を確認した上で簡単な操作により消去設定し、直ちに次の画像の撮影動作に移行することが可能な撮像装置を提供することにある。
【０００８】
【課題を解決するための手段】
請求項１記載の発明は、画像を撮影する撮像手段と、この撮像手段で得た画像に所定の処理を施す画像処理手段と、この画像処理手段で処理し終えた画像を媒体に記録する記録手段と、上記撮像手段で得た画像から作成した表示画像を、上記記録手段による媒体への画像記録時に所定時間表示する表示手段と、上記記録手段への画像記録の中止を指示する指示手段と、上記表示手段で表示画像を表示している間に上記指示手段による指示がなされた場合に、上記媒体への記録を中止し記録を消去する記録制御手段と、を具備し、上記画像処理手段は、上記撮像手段により所定の画像が得られると、当該画像に対して上記所定の処理を開始し、上記記録手段は、上記画像処理手段が上記所定の処理をし終えると、当該処理された画像の媒体への記録を開始することを特徴とする。
【０００９】
このような構成とすれば、画像の撮影時に、撮影を失敗した画像の内容を視認した上で簡単な操作により確実に消去設定し、直ちに次の画像の撮影動作に移行することができる。
請求項２記載の発明は、上記請求項１記載の発明において、上記表示手段がオン設定されているか否かを判定する判定手段と、上記判定手段により上記表示手段がオン設定されていないと判断された場合、上記指示手段の指示を無効とすることを特徴とする。
このような構成とすれば、表示手段がオン設定されていない場合に、誤って記録を中止して記録した内容を消去してしまうことを防ぐことが可能となり、よりユーザの使い勝手を向上させることができる。
【００１０】
請求項３記載の発明は、上記請求項１記載の発明において、上記表示手段は、上記表示画像と共に、上記指示手段の操作ガイドメッセージを表示することを特徴とする。
【００１１】
このような構成とすれば、上記請求項２記載の発明の作用に加えて、画像の消去のための操作内容をガイドメッセージで表示することで、よりユーザの使い勝手を向上させることができる。
【００１２】
【発明の実施の形態】
以下本発明を電子スチルカメラに適用した場合の実施の一形態に付いて図面を参照して説明する。
【００１３】
図１は同実施の形態に係る電子スチルカメラの回路構成を示すものである。同図で、１１は光学レンズ系であり、この光学レンズ系１１により得られる画像は、例えば原色カラーフィルタを備えた撮像素子であるＣＣＤ１２上に結像する。ＣＣＤ１２は、この結像により得られる光像を電気信号に変換してＡＤＣ／ＡＧＣ回路１３へ出力する。
【００１４】
ＡＤＣ／ＡＧＣ回路１３は、ＣＣＤ１２で得られた画像信号をデジタル変換し、所定の信号レベルとなるように利得調整し、画像データ化してＣＰＵ１６に送出する。
【００１５】
ＣＰＵ１６は、この電子スチルカメラ全体の動作制御を司るものであり、キー入力部２０に備えられる各種キーの操作に対応して動作する。
【００１６】
キー入力部２０には、電源のオン／オフを設定する電源スイッチ、レリーズ動作により撮像を行なわせるシャッタキー、記録モード、再生モードを含む各種モードを設定するモードキー、記録モード時のフラッシュの動作状態を制御するの「フラッシュ」キー、各種モードでの項目等を選択するための「＋」／「−」キー、後述する液晶表示部１９のオン／オフを設定するディスプレイキー、設定状態の解除や撮像画像の記録中止等を指示する「Ｃ（キャンセル／クリア）」キーなどが設けられるもので、これらのキースイッチはＣＰＵ１６により所定の間隔、例えば１８［ｍ秒］毎にキーサンプリングされて、その操作状態が検出される。
【００１７】
しかしてＣＰＵ１６は、上記ＡＤＣ／ＡＧＣ回路１３から送られてくる画像データをバッファメモリ１４に適宜記憶させ、同時にこのバッファメモリ１４に記憶される１フレーム分の画像データを用いてコプロセッサ１５によりベイヤー配列の色差系（ＹＣｂＣｒ）の画像データに変換させ、さらにエッジ強調等の処理を施す一方、この画像データから画素数を大幅に減少した所定の画素数構成のプレビュー画像データを作成させる。
【００１８】
ＣＰＵ１６は、このコプロセッサ１５により作成させたプレビュー画像データを、カラー液晶パネル及びバックライトとそれらの駆動回路等から構成され、電子ビューファインダ（ＥＶＦ）として機能する液晶表示部１９で表示出力させる一方、コプロセッサ１５が作成した画像データに対してＪＰＥＧ処理部１７によりＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）規格に基づいたデータ圧縮処理を施させ、処理後の画像データを上記プレビュー画像データと共に、この電子スチルカメラの記録媒体として使用されるフラッシュメモリ１８に書込記録する。
【００１９】
フラッシュメモリ１８は、容量の異なる複数種類のものの中から１つが選択的に着脱自在に取付けられるもので、その容量と記録する１枚毎の画像データのサイズによって、記録可能な画像データの数が異なるものとなる。
【００２０】
また、特に再生モード時にＣＰＵ１６は、フラッシュメモリ１８からプレビュー画像データを読出し、液晶表示部１９にて表示させる。
【００２１】
なお、回路構成を示す上記図１には記載していないが、電子ビューファインダとして機能する液晶表示部１９の他に、光学レンズを用いた光学ファインダを設けることで、液晶表示部１９を用いずとも、記録する画像のおおよその画角を視認できるようにしており、上記キー入力部２０のディスプレイキーを操作して液晶表示部１９をオフ設定することにより、容量の制限された電池電源をより有効に使用することができるようになっている。
【００２２】
次に上記実施の形態の動作について説明する。
【００２３】
図２及び図３はＣＰＵ１６による記録モード時の撮影動作の処理内容を示すもので、その当初には、キー入力部２０のディスプレイキーの操作により液晶表示部１９がオン設定され、電子ビューファインダとして機能しているか否か判断する（ステップＳ０１）。
【００２４】
ここで、液晶表示部１９がオン設定されていると判断すると、該液晶表示部１９を電子ビューファインダとして機能させるべく、ＣＣＤ１２で例えば１／３０秒間隔で撮像した画像を随時ＡＤＣ／ＡＧＣ回路１３を介してバッファメモリ１４に記憶させ、液晶表示部１９の液晶表示パネルの構成画素数に合わせて画素間引きを行なった後に液晶表示部１９にて更新表示させる、所謂ＲＥＣスルー表示を実行しながら（ステップＳ０３）、キー入力部２０のシャッタキーがレリーズ動作により押圧操作されるのを待機する（ステップＳ０３）、という動作を繰返し実行する。
【００２５】
これらステップＳ０１〜Ｓ０３の処理を繰返す過程で、キー入力部２０のシャッタキーが押圧操作されると、ステップＳ０３でこれを判断し、その時点でバッファメモリ１４に保持されているＣＣＤ１２の全構成画素分の原色系の画像データに対し、コプロセッサ１５によりベイヤー配列の色差系（ＹＣｂＣｒ）の本画像データに変換させる一方、この変換した本画像データに大幅に画素間引きを施すことにより所定の画素数のプレビュー画像データを作成する（ステップＳ０４）。
【００２６】
そして、この作成したプレビュー画像データ上に、フラッシュメモリ１８への記録をキャンセルするための操作キーを指示したガイドメッセージを付加した画像を作成して液晶表示部１９で表示出力させる（ステップＳ０５）。
【００２７】
図４はこのとき液晶表示部１９で表示される画面を例示するもので、画面の全面で「山」を背景にした「人物」のプレビュー画像を表示すると共に、画面の下部に画像のフラッシュメモリ１８への記録をキャンセルする場合には直ちにキー入力部２０の「Ｃ（キャンセル／クリア）」キーを操作するように指示する、例えば「キャンセル→Ｃ」なるガイドメッセージＧＭを表示している状態を示す。
【００２８】
なお、上記図４で例示したプレビュー画像は、手振れ等の要因により、得られた画像にぶれが生じていることを示している。
【００２９】
このようなプレビュー画像を表示している状態で、上記色差系の本画像データに対してコプロセッサ１５がさらにエッジ強調処理を施しながら（ステップＳ０６）、キー入力部２０の「Ｃ」キーが操作されたか否かを判断し（ステップＳ０７）、さらに該エッジ強調処理が終了したか否かを判断する（ステップＳ０８）、という処理を繰返し実行することで、キー入力部２０の「Ｃ」キーの操作を受付けながらエッジ強調処理を実行する。
【００３０】
そして、キー入力部２０の「Ｃ」キーの操作がないままにステップＳ０８でエッジ強調処理が終了したと判断すると、次に上記ステップＳ０４で作成したプレビュー画像データに対するＪＰＥＧ処理部１７によるＪＰＥＧ規格に基づいたデータ圧縮と圧縮したプレビュー画像データのフラッシュメモリ１８への書込記録とを行ないながら（ステップＳ０９）、再びキー入力部２０の「Ｃ」キーが操作されたか否かを判断し（ステップＳ１０）、さらに該プレビュー画像データのデータ圧縮とフラッシュメモリ１８への記録が終了したか否かを判断する（ステップＳ１１）、という処理を繰返し実行することで、キー入力部２０の「Ｃ」キーの操作を受付けながらプレビュー画像データの記録処理を実行する。
【００３１】
しかして、ステップＳ１１でプレビュー画像データのフラッシュメモリ１８への記録処理が終了したと判断すると、次に上記ステップＳ０４で作成した本画像データに対するＪＰＥＧ処理部１７によるＪＰＥＧ規格に基づいたデータ圧縮と圧縮した本画像データのフラッシュメモリ１８への書込記録とを行ないながら（ステップＳ１２）、キー入力部２０の「Ｃ」キーが操作されたか否かを判断し（ステップＳ１３）、さらに該本画像データのデータ圧縮とフラッシュメモリ１８への記録が終了したか否かを判断する（ステップＳ１４）、という処理を繰返し実行することで、キー入力部２０の「Ｃ」キーの操作を受付けながら本画像データの記録処理を実行する。
【００３２】
そして、ステップＳ１４で本画像データのフラッシュメモリ１８への記録処理も終了したと判断すると、以上で撮影した画像に対する処理を全て終えたものとして、液晶表示部１９での上記図５に示したようなプレビュー画像と記録をキャンセルするためのガイドメッセージＧＭとの表示を停止し、再び次の撮影に備えるべく上記ステップＳ０１からの処理に戻る。
【００３３】
また、上記ステップＳ０７でエッジ強調処理の途中でキー入力部２０の「Ｃ」キーが操作されたと判断した場合、あるいは上記ステップＳ１０でプレビュー画像データの圧縮とフラッシュメモリ１８への記録の処理途中でキー入力部２０の「Ｃ」キーが操作されたと判断した場合、あるいは上記ステップＳ１３で本画像データの圧縮とフラッシュメモリ１８への記録の処理途中でキー入力部２０の「Ｃ」キーが操作されたと判断した場合には、いずれも液晶表示部１９で表示しているプレビュー画像データの内容から、対応する画像をフラッシュメモリ１８へ記録するのをキャンセルするための指示がなされたこととなるので、この「Ｃ」キーの操作を受付けて、フラッシュメモリ１８に記録した該当する本画像データとプレビュー画像データとを共に消去する処理を実行し（ステップＳ１５，Ｓ１６）、それから再び次の撮影に備えるべく上記ステップＳ０１からの処理に戻る。
【００３４】
このように、画像の撮影を行なう記録モード時に、撮影した画像の内容を液晶表示部１９で視認した上で、撮影を失敗したと判断した場合には、表示画像に添付表示されているガイドメッセージＧＭに従って簡単なキー操作を行なうことにより、モードの切換等を必要とせずに、記録媒体であるフラッシュメモリ１８への記録を確実に消去設定し、直ちに次の画像の撮影動作に移行することができる。
【００３５】
また、上記ステップＳ０１で液晶表示部１９がオン設定されておらず、液晶表示部１９を電子ビューファインダとして使用しない場合には、上述した如く図示しない光学ファインダを使用するものとして、液晶表示部１９での所謂ＲＥＣスルー表示は行なわずに、ＣＣＤ１２で例えば１／３０秒間隔で撮像した画像を随時ＡＤＣ／ＡＧＣ回路１３を介してバッファメモリ１４に記憶させながら、キー入力部２０のシャッタキーがレリーズ動作により押圧操作されるのを待機する（ステップＳ１７）、という動作を繰返し実行する。
【００３６】
これらステップＳ０１，Ｓ１７の処理を繰返す過程で、キー入力部２０のシャッタキーが押圧操作されると、ステップＳ１７でこれを判断し、その時点でバッファメモリ１４に保持されているＣＣＤ１２の全構成画素分の原色系の画像データに対し、コプロセッサ１５によりベイヤー配列の色差系（ＹＣｂＣｒ）の本画像データに変換させる一方、この変換した本画像データに大幅に画素間引きを施すことにより所定の画素数のプレビュー画像データを作成する（ステップＳ１８）。
【００３７】
次いで、上記色差系の本画像データに対してコプロセッサ１５がさらにエッジ強調処理を施し（ステップＳ１９）、該エッジ強調処理が終了したか否かを判断する（ステップＳ２０）、という処理を繰返し実行することで、エッジ強調処理の終了を待機する。
【００３８】
そして、ステップＳ２０でエッジ強調処理が終了したと判断すると、次に上記ステップＳ１８で作成したプレビュー画像データに対するＪＰＥＧ処理部１７によるＪＰＥＧ規格に基づいたデータ圧縮と圧縮したプレビュー画像データのフラッシュメモリ１８への書込記録とを行ない（ステップＳ２１）、このプレビュー画像データのデータ圧縮と記録が終了したか否かを判断する（ステップＳ２２）、という処理を繰返し実行することで、プレビュー画像データの記録処理が終了するのを待機する。
【００３９】
しかして、ステップＳ２２でプレビュー画像データのフラッシュメモリ１８への記録処理が終了したと判断すると、次に上記ステップＳ１８で作成した本画像データに対するＪＰＥＧ処理部１７によるＪＰＥＧ規格に基づいたデータ圧縮と圧縮した本画像データのフラッシュメモリ１８への書込記録とを行ない（ステップＳ２３）、この本画像データのデータ圧縮と記録が終了したか否かを判断する（ステップＳ２４）、という処理を繰返し実行することで、本画像データの記録処理が終了するのを待機する。
【００４０】
そして、ステップＳ２４で本画像データのフラッシュメモリ１８への記録処理も終了したと判断すると、以上で撮影した画像に対する処理を全て終えたものとして、再び次の撮影に備えるべく上記ステップＳ０１からの処理に戻る。
【００４１】
このように、記録モード時に液晶表示部１９をオフ設定している場合には、撮影した画像の内容を液晶表示部１９で視認することができず、したがって撮影を失敗したかどうかを確認することができないので、キー入力部２０の「Ｃ」キーの操作を受付けず、記録媒体であるフラッシュメモリ１８への記録を消去設定してしまうのを回避するようにしている。
【００４２】
なお、本実施の形態では、撮影により得たプレビュー画像データをガイドメッセージＧＭと共に液晶表示部１９で表示している状態で、メッセージに対応した記録を中止するためのキー操作がなされると、記録を中止して記録した内容を消去するための処理に移行するようにしているが、本発明はこれに限らず、例えば表示するのはプレビュー画像ではなく本画像であっても良い。
【００４３】
その場合、本画像はデータ量が多いために表示にも時間を要するため、エッジ強調処理（ステップＳ０６〜Ｓ０８）、プレビュー画像のＪＰＥＧに基づくデータ圧縮とフラッシュメモリ１８への記録（ステップＳ０９〜Ｓ１１）、本画像のＪＰＥＧに基づくデータ圧縮とフラッシュメモリ１８への記録（ステップＳ１２〜Ｓ１４）の各処理を実行していくにしたがって液晶表示部１９で表示される画像が徐々に鮮明になっていくものとなる。
【００４４】
その他、本発明はその要旨を逸脱しない範囲内で種々に変形して実施することが可能であるものとする。
【００４６】
【発明の効果】
請求項１記載の発明によれば、画像の撮影時に、撮影を失敗した画像の内容を視認した上で簡単な操作により確実に消去設定し、直ちに次の画像の撮影動作に移行することができる。
請求項２記載の発明は、上記請求項１記載の発明において、表示手段がオン設定されていない場合に、誤って記録を中止して記録した内容を消去してしまうことを防ぐことが可能となり、よりユーザの使い勝手を向上させることができる。
【００４７】
請求項３記載の発明によれば、上記請求項１記載の発明の効果に加えて、画像の消去のための操作内容をガイドメッセージで表示することで、よりユーザの使い勝手を向上させることができる。
【図面の簡単な説明】
【図１】本発明の実施の一形態に係る回路構成を示すブロック図。
【図２】同実施の形態に係る動作の処理内容を示すためのフローチャート。
【図３】同実施の形態に係る動作の処理内容を示すためのフローチャート。
【図４】同実施の形態に係る動作の表示画面を例示する図。
【符号の説明】
１１…光学レンズ系
１２…ＣＣＤ
１３…ＡＤＣ／ＡＧＣ回路
１４…バッファメモリ
１５…コプロセッサ
１６…ＣＰＵ
１７…ＪＰＥＧ処理部
１８…フラッシュメモリ
１９…液晶表示部
２０…キー入力部
ＧＭ…ガイドメッセージ
【図１】
0004330046.tif 000002
【図２】
0004330046.tif 000003
【図３】
0004330046.tif 000004
【図４】
0004330046.tif 000005